(57)【要約】【課題】コークス炉建設用仮上屋を用いてコークス炉を建設する際に、コークス炉建設用仮上屋の設置・撤去作業を短期間で行うことを可能とし、これによりコークス炉建設の工期を短縮できるコークス炉の建設方法及びコークス炉建設用仮上屋を提供すること。【解決手段】コークス炉を建設する際にコークス炉建設用仮上屋で煉瓦積みされるコークス炉本体を覆う建設方法であって、予め建設された前記コークス炉建設用仮上屋を前記コークス炉本体建設前に該コークス炉本体建設位置に移動し、該コークス炉本体の建設後に、前記コークス炉建設用仮上屋を解体することなく前記コークス炉本体位置から移動することを特徴とするコークス炉の建設方法用いる。コークス炉に設置されたレールをコークス炉建設用仮上屋の移動用レールとして用いることが好ましい。このために下部に移動用の車輪を有するコークス炉建設用仮上屋を用いる。【選択図】図１
2008266533.tif 000002
【特許請求の範囲】
【請求項１】
コークス炉を建設する際にコークス炉建設用仮上屋で煉瓦積みされるコークス炉本体を覆う建設方法であって、予め建設された前記コークス炉建設用仮上屋を前記コークス炉本体建設前に該コークス炉本体建設位置に移動し、該コークス炉本体の建設後に、前記コークス炉建設用仮上屋を解体することなく前記コークス炉本体位置から移動することを特徴とするコークス炉の建設方法。
【請求項２】
コークス炉に設置されたレールをコークス炉建設用仮上屋の移動用レールとして用いることを特徴とする請求項１に記載のコークス炉の建設方法。
【請求項３】
請求項１または請求項２に記載のコークス炉の建設方法で用いるコークス炉建設用仮上屋であって、下部に移動用の車輪を有することを特徴とするコークス炉建設用仮上屋。
【発明の詳細な説明】
【技術分野】
【０００１】
本発明は、煉瓦積みにより建設されるコークス炉の建設方法に関し、特に建設の際にコークス炉の本体を覆うコークス炉建設用仮上屋に関するものである。
【背景技術】
【０００２】
製鉄用のコークスは、石炭を乾留する炭化室、燃料ガスを燃焼させる燃焼室が交互に並べられて炉団を形成しているコークス炉により製造される。コークス炉は、石炭を装入する装炭車、製造されたコークスを炭化室から押出す押し出し機、押し出されたコークスを受けるガイド車と消火車等の移動設備を有している。
【０００３】
コークス炉の建設には数年を要し、その工事は、土木、建築、機械、計装、築炉と多岐にわたっている。コークス炉本体のコンクリート基礎ができあがると、次にその上で煉瓦積みが行なわれる。煉瓦積みの期間は長期に及ぶものであり、煉瓦積みの際には煉瓦（耐火物）が風雨にさらされないように、煉瓦積みされるコークス炉本体は、コークス炉建設用仮上屋で覆われ、耐火物が保護される（例えば、特許文献１参照。）。
【０００４】
図３に従来のコークス炉建設用仮上屋３０を示す。コークス炉の消火車側（紙面に向かって左側）及び押し出し機側（紙面に向かって右側）にコークス炉本体１を挟んで柱３１、３２を建て、柱３１、３２上にコークス炉本体１を覆う屋根３３を載せる。消火車側の柱３１は消火車軌条３上に配置され、押し出し機側の柱３２は、押出機の軌条４上に配置されている。
【０００５】
このコークス炉建設用仮上屋は、煉瓦積み前にコークス炉建設場所にて、柱、梁、屋根、壁を設置・組み立てし、煉瓦積みが完了して、コークス炉本体が所定の温度まで昇温された後、その場所で解体・撤去を行なっている。
【特許文献１】特開２００６−３６９３４号公報
【発明の開示】
【発明が解決しようとする課題】
【０００６】
コークス炉建設用仮上屋の設置・撤去作業は、作業効率上、短期間で完了することが望ましい。しかし、コークス炉建設用仮上屋は、コークス炉の規模にもよるが、高さ３０ｍ、幅３０ｍ、長さ５０〜１３０ｍ程度の非常に大きな建築物であり、コークス炉への設置、あるいは撤去に、それぞれ１〜２ヶ月の長期間を要するものである。
【０００７】
一方で、上部でコークス炉建設用仮上屋の設置・撤去作業中に、その下部に人が立ち入ると危険であるという、上下作業防止の安全管理上の問題がある。コークス炉建設用仮上屋の設置・撤去作業中はその下部における作業を中断する必要があり、これにより工期が長期化する。特に撤去は、コークス炉本体の昇温中に行なうが、昇温に伴う温度測定等の作業のためにコークス炉周辺に人が立ち入る時は、安全上その上部でコークス炉建設用仮上屋の撤去作業を行なうことができないため、撤去作業は必要以上に長期化する。
【０００８】
したがって本発明の目的は、このような従来技術の課題を解決し、コークス炉建設用仮上屋を用いてコークス炉を建設する際に、コークス炉建設用仮上屋の設置・撤去作業を短期間で行うことを可能とし、これによりコークス炉建設の工期を短縮できるコークス炉の建設方法及びコークス炉建設用仮上屋を提供することにある。
【課題を解決するための手段】
【０００９】
このような課題を解決するための本発明の特徴は以下の通りである。
（１）、コークス炉を建設する際にコークス炉建設用仮上屋で煉瓦積みされるコークス炉本体を覆う建設方法であって、予め建設された前記コークス炉建設用仮上屋を前記コークス炉本体建設前に該コークス炉本体建設位置に移動し、該コークス炉本体の建設後に、前記コークス炉建設用仮上屋を解体することなく前記コークス炉本体位置から移動することを特徴とするコークス炉の建設方法。
（２）、コークス炉に設置されたレールをコークス炉建設用仮上屋の移動用レールとして用いることを特徴とする（１）に記載のコークス炉の建設方法。
（３）、（１）または（２）に記載のコークス炉の建設方法で用いるコークス炉建設用仮上屋であって、下部に移動用の車輪を有することを特徴とするコークス炉建設用仮上屋。
【発明の効果】
【００１０】
本発明によれば、コークス炉建設用仮上屋の設置・撤去作業を短期間で行なうことができ、コークス炉建設用仮上屋の建設・解体作業を、コークス炉建設の他の工事・作業と同時に行なうことができ、コークス炉建設の工期を大幅に短縮できる。
【００１１】
また、上下作業が発生する恐れが無いので、コークス炉建設工事における安全性も向上する。
【発明を実施するための最良の形態】
【００１２】
本発明者は、コークス炉建設用仮上屋の建設（組み立て）を、コークス炉建設工事区域外にて行ない、組み立て完了後にレール等を用いて、コークス炉本体を覆う所定の位置に移動させ、該所定位置で固定し、煉瓦積み等の工事の完了後に、固定を解除して、コークス炉建設用仮上屋をレール等を用いてコークス炉建設工事区域外に移動し、解体を行なうことで、コークス炉体の工事・昇温作業との競合無く、コークス炉建設用仮上屋の建設・解体作業を行なうことができることを見出し、本発明を完成した。すなわち、コークス炉建設用仮上屋を移動可能な構造とすることで、これを実現することができる。
【００１３】
このために、コークス炉建設用仮上屋はその接地部分に車輪を有する構造とする。車輪による移動のためには、移動用のレールを設置することが好ましい。コークス炉建設用仮上屋専用のレールを設置することも考えられるが、コークス炉では、ガイド車、消火車、押し出し機が炉に沿って走行する構造であるため、ガイド車軌条、消火車軌条、押し出し機軌条が設置されており、これらのレールを利用することが好ましい。
【００１４】
コークス炉建設用仮上屋の建設（組み立て）および解体は、コークス炉建設工事区域外にて行なうが、コークス炉建設用仮上屋の移動距離は最低限とすることが好ましいので、できるだけコークス炉の近傍で行なうとよい。
【００１５】
コークス炉本体の煉瓦積み終了後のコークス炉建設用仮上屋の移動（撤去）は、コークス炉本体を昇温して、炉体温度が雨にぬれても問題ない一定以上の温度になった後に行なうことが好ましい。
【００１６】
図１を用いて、本発明のコークス炉建設用仮上屋の一実施形態を説明する。
【００１７】
図１は、建設中のコークス炉において、コークス炉建設用仮上屋１０が設置された状態の断面の概略図であり、煉瓦積みして建設されたコークス炉本体１には、一端にガイド車が走行するガイド車軌条２と消火車が走行する消火車軌条３とを、他端に押し出し機が走行する押し出し機軌条４が設置されている。コークス炉建設用仮上屋１０の柱１１と柱１２の下部には車輪が設置されている（図示せず）。１３は屋根である。柱１１はガイド車軌条２のコークス炉本体１から遠い側のレール上に位置している。柱１２は押し出し機軌条４のコークス炉本体１に近い側のレール上に位置している。１４はコークス炉建設用仮下屋であり、煉瓦等を仮置きするための場所として、必要に応じてコークス炉建設用仮上屋１０と一体として建設される。コークス炉建設用仮下屋１４の柱１５は押し出し機軌条４のコークス炉本体１から遠い側のレール上に位置している。柱１５の下部にも車輪が設置されている（図示せず）。
【００１８】
コークス炉建設用仮上屋１０の柱１１を載せるレールとしては、既設のものから任意に選択することができるが、レール下部に支えを有する構造であるなど、大荷重に耐えられるものを選択することが好ましい。
【００１９】
次に、上記のコークス炉建設用仮上屋を用いたコークス炉の建設方法の一実施形態を図２を用いて説明する。
【００２０】
図２は、コークス炉建設区域およびその周辺を上方から見た概略図である。まず、コークス炉建設用仮上屋１０ａを予めコークス炉建設区域外で組み立て、建設を完了しておく。このコークス炉建設用仮上屋１０ａをレールを用いて、コークス炉本体１建設位置に移動する。図２においては、ガイド車軌条２のレールと、押し出し機軌条４のレールを利用している。レールの点線部分は既設のレールの不足分であり、新たに設置する。建設済みのコークス炉建設用仮上屋を移動するので、わずかな時間でコークス炉建設用仮上屋を設置することができる。移動したコークス炉建設用仮上屋は、ボルト等を用いてレール受等に固定する。コークス炉建設用仮上屋１０ｂの中でコークス炉本体１を建設する。煉瓦積みを行ない、炉蓋、上昇管、ダクト、周辺機械等の設置も行なう。コークス炉本体１を建設し昇温後に、コークス炉建設用仮上屋１０ｂを解体することなく、固定を解除し、コークス炉本体１位置からレール上を移動して、コークス炉建設区域外にて解体を行なう。移動後に解体を行なうことで、コークス炉建設用仮上屋１０ｂをわずかな時間で撤去することができる。これによりコークス炉建設用仮上屋の設置・撤去作業を短期間で行うことができ、工期を２〜３ヶ月程度短縮することができる。また、上下作業が発生する可能性が無くなり、設置・撤去作業中の安全上の問題も解決できる。
【００２１】
尚、本発明はコークス炉の新規建設だけでなく、既存のコークス炉の大規模改修の際にも用いることができる。
【図面の簡単な説明】
【００２２】
【図１】本発明のコークス炉建設用仮上屋の一実施形態の概略図。
【図２】コークス炉建設区域およびその周辺の上視図。
【図３】従来のコークス炉建設用仮上屋の概略図。
【符号の説明】
【００２３】
１    コークス炉本体
２    ガイド車軌条
３    消火車軌条
４    押し出し機軌条
５    石炭塔
１０（１０ａ、１０ｂ）    コークス炉建設用仮上屋
１１    柱
１２    柱
１３    屋根
１４    コークス炉建設用仮下屋
１５    柱
３０    従来のコークス炉建設用仮上屋
３１    柱
３２    柱
３３    屋根
【図１】
2008266533.tif 000003
【図２】
2008266533.tif 000004
【図３】
2008266533.tif 000005